(57)【要約】  本発明は、機械部分、電気工学部分および情報技術部分を備えた少なくとも１つのメカトロニクス構成要素を有するアセンブリの開発方法に関し、当該方法は、互いに分離した開発プロセスで機械部分、電気工学部分および情報技術部分を開発するステップと、少なくとも第１部分の開発プロセスの開発状態情報を、第２部分の開発プロセス、または残りの２つの部分の開発プロセスに連続的または周期的に伝えるステップと、開発状態情報を考慮に入れながら、前記部分の第２部分の開発プロセスまたは残りの２つの部分の開発プロセスを変更するステップとを有する。本発明はまた、これに対応する装置に関する。【選択図】図１
2019502194.tif 000002
【特許請求の範囲】
【請求項１】
機械部分、電気部分および情報技術部分を備えた少なくとも１つのメカトロニクス構成要素を含むアセンブリの開発方法において、当該方法が：
−分離された開発プロセスで機械部分、電気部分および情報技術部分を開発するステップ；
−少なくとも第１部分の開発プロセスの開発状態情報を、第２部分の開発プロセスまたは残りの２つの部分の開発プロセスに連続的または周期的に伝えるステップ；および
−第２部分の開発プロセスまたは残りの部分の両方の開発プロセスを、前記開発状態情報を考慮に入れて変更するステップを含む方法。
【請求項２】
−開発するメカトロニクス構成要素が満たすべき多数の個々の必要条件から必要条件プロファイルを作成するステップ；
−前記機械部分、前記電気部分、前記情報技術部分またはこれらの部分の複数に影響があるかどうかに基づいてそれぞれの個々の必要条件を特定するステップ；および
−データベースに前記必要条件プロファイルおよび特定結果を保存し、前記データベースを介して各部分の開発のための各オーサリングシステムに前記必要条件プロファイルおよび前記特定結果を提供するステップをさらに含む請求項１に記載の方法。
【請求項３】
前記機械部分、前記電気部分および／または前記情報技術部分の開発状態、および評価は、各開発状態が少なくとも１つの個々の必要条件を満たしていれば、前記データベースに記憶されることができる請求項２に記載の方法。
【請求項４】
分離した開発プロセスは独立したオーサリングシステムを使用して実行されることができ、オーサリングシステムは互いの間でインターフェースおよび／またはゲートウェイを介して開発情報を交換する請求項１〜３のいずれか１項に記載の方法。
【請求項５】
一つの部分の開発状態が割り当てられたオーサリングシステムで変更され、この変更により、開発するメカトロニクス構成要素が満たすべき個々の必要条件の少なくとも１つを満たすために別の部分の開発状態の変更を要すると評価された場合、前記インターフェースおよび／または前記ゲートウェイを介してオーサリングシステム間で警告メッセージが伝えられ、必要であれば、オーサリングシステムがアクセスできるメモリに記憶されることができる請求項４に記載の方法。
【請求項６】
前記第２部分の開発プロセスまたは残りの２つの部分の開発プロセスを変更するステップは、前記第２部分の開発プロセスまたは残りの２つの部分の開発プロセスを、前記第１部分の特定の開発状態が達成されるまで停止するステップと、前記特定の開発状態が達成されたら前記第２部分の開発プロセスまたは残りの２つの部分の開発プロセスを開始または再開するステップとを含む請求項１に記載の方法。
【請求項７】
前記必要条件プロファイルまたは開発指示を、前記第２部分の開発プロセスまたは残りの２つの部分の開発プロセスに、前記第１部分の最終または予備の開発結果の機能として伝えるステップを含む請求項１に記載の方法。
【請求項８】
開発プロセスがアクセスできるバッファに前記開発状態情報を格納するステップを含むことができ、当該ステップでは、前記バッファに格納された前記開発状態情報の各要素が１つの部分の開発プロセスの変更を必要とするか否かを決定するために適合性チェックが実行され、前記適合性チェックにより開発プロセスの変更が必要であると判断された前記開発状態情報のみが前記バッファに格納される請求項１に記載の方法。
【請求項９】
請求項１〜８の少なくとも１項に記載の方法に従って、少なくとも１つのメカトロニクス構成要素を含むアセンブリを開発する装置において、当該装置が：
−第１部分を開発するための第１オーサリングシステムがインストールされた第１コンピュータシステム；
−第２部分を開発するための第２オーサリングシステムがインストールされた第２コンピュータシステム；
−第３部分を開発するための第３オーサリングシステムがインストールされた第３コンピュータシステム；および
−前記第１〜第３コンピュータシステムが相互接続され前記第１〜第３部分についての開発状態情報を交換するデータインターフェースおよび／またはゲートウェイ；を含み、
前記第１〜第３オーサリングシステムのそれぞれが、前記データインターフェースおよび／または前記ゲートウェイを介して他の各オーサリングシステムの伝えられた開発状態情報を出力するよう構成されている装置。
【請求項１０】
前記第１〜第３オーサリングシステムは、PDMおよび／またはERPシステムにアクセスするために前記データインターフェースおよび／または前記ゲートウェイを介してさらに接続されることができる請求項９に記載の装置。
【発明の詳細な説明】
【技術分野】
【０００１】
本発明は、機械部分、電気部分および情報技術部分を備えた少なくとも１つのメカトロニクス構成要素を含むアセンブリの開発方法に基づいている。
【背景技術】
【０００２】
DE 10 2010 043 405 A1は、複数のメカトロニクス装置を含むメカトロニクスシステムの計画手順を開示しており、ここでは各メカトロニクス装置のためにメカトロニクス装置データ構造が記憶され、当該メカトロニクス装置データ構造は各メカトロニクス装置についての情報を含んでいる。プロセスフローデータ構造が提供され、これはメカトロニクスシステムのプロセスフローについての情報を含んでいる。このフローは、以下のステップを有する：ａ）プロセスフローデータ構造に基づいて少なくとも２つのメカトロニクス装置データ構造を選択するステップ；ｂ）プロセスフローデータ構造に基づいて、選択されたメカトロニクス装置データ構造の階層を自動的に作成し、メカトロニクス装置データ構造が親データ構造および子データ構造に分けられるステップ；ｃ）子メカトロニクス装置データ構造に配置されたインターフェースに基づいて、選択された親メカトロニクス装置データ構造にインターフェースを提供するステップ；およびｄ）各子メカトロニクス装置データ構造のインターフェースに提供された親メカトロニクス装置データ構造のインターフェースそれぞれの割当を指定し、当該割当は親メカトロニクス装置データ構造および／または各子メカトロニクス装置データ構造に格納されるステップ。
【０００３】
従来技術で周知の方法は、機械部分、電気部分および情報技術部分が並行開発プロセスで完全に独立して開発されるという不利な点を有し、これは、第２部分の開発の結果生じる第１部分の開発の要求が、限られた範囲内で考慮に入れられることしかできず、大変な時間遅延も有するという際立った欠点である。
【０００４】
本発明の目的は、メカトロニクス構成要素を含むアセンブリの開発方法であり、多分野にまたがる開発努力を最小化し、特に各開発分野での開発時間を最小化する方法を提案することである。
【０００５】
この目的は、請求項１の特徴を有する方法によって達成される。従属項は有利な実施形態にそれぞれ関連する。
【発明の概要】
【０００６】
本発明に係る方法は以下のステップを含む：
−分離された開発プロセスで機械部分、電気部分および情報技術部分を開発するステップ；
−少なくとも前記部分のうち第１部分の開発プロセスの開発状態情報を、前記部分の第２部分の開発プロセスまたは残りの２つの部分の開発プロセスに連続的または周期的に伝えるステップ；および
−前記部分のうち第２部分の開発プロセスまたは残りの部分の両方の開発プロセスを、前記開発状態情報を考慮に入れて変更するステップ。
【０００７】
前記部分の開発プロセスの開発状態情報の少なくとも一部品の連続的または周期的伝達は、前記部分の開発が、原則として互いに独立しているが、より良好に連携され、特に前記部分の一つで行われた変更が時間遅延なく実質的に他の開発プロセスに伝えられ、伝えられた第１部分の変更が第２部分の開発に影響がある場合に、必要であればこれらの変更に対して開発応答があるようにすることが保証される。
【０００８】
複雑なメカトロニクス構成要素は、部分群に分けられることができ、これらは全てそれぞれ分離された開発サイクルで開発される。開発する従属部品を含む部分およびいくつの開発プロセス（機械的、電気的または情報技術関連）が含まれなければならないか決定するためにニーズ分析を使用できる。
【０００９】
データ構造は、オーサリングシステムであるか個別であるかに関わらず、開発するメカトロニクス製品に適合される構造、または使用者の特定の工学プロセスに適合される構造であってよい。当該構造は必要条件指向型または機能指向型とすることができ、これらでは、特に連続生産に対してコンポーネント指向またはプロセス指向とすることができる。
【００１０】
本方法は、さらに以下のステップを含むことができる：
−開発するメカトロニクス構成要素が満たすべき多数の個々の必要条件から必要条件プロファイルを作成するステップ；
−機械部分、電気部分、情報技術部分またはこれらの部分の複数に影響があるかどうかに基づいてそれぞれの個々の必要条件を特定するステップ；および
−データベースに必要条件プロファイルおよび特定結果を保存し、データベースを介して前記部分の開発のための各オーサリングシステムに必要条件プロファイルおよび特定結果を提供するステップ。
【００１１】
さらに、機械部分、電気部分および／または情報技術部分の開発状態、および評価は、各開発状態が少なくとも１つの個々の必要条件を満たしていれば、データベースに記憶されることができる。
【００１２】
分離した開発プロセスは独立したオーサリングシステムを使用して実行されることができ、オーサリングシステムは互いの間でインターフェースおよび／またはゲートウェイを介して開発情報を交換する。
【００１３】
例えば、オーサリングシステムは一般的なCADシステムとすることができる。オーサリングシステムはさらに、もっぱらソフトウェアで実装されることができる。オーサリングシステムはこの点において、インターフェースおよび／またはゲートウェイを介したデータ交換のためのプラグインを介してつなぐことができる。
【００１４】
一つの部分の開発状態が割り当てられたオーサリングシステムで変更され、この変更により、開発するメカトロニクス構成要素が満たすべき個々の必要条件の少なくとも１つを満たすために別の部分の開発状態の変更を要すると評価された場合、インターフェースおよび／またはゲートウェイを介してオーサリングシステム間で警告メッセージが伝えられ、必要であれば、オーサリングシステムがアクセスできるメモリに記憶されることができる。このようにして、１つの部分の開発状態の変更を、それぞれそこで考慮に入れるために例えばオーサリングシステム等の開発プロセスに即座に送ることができる。また、対象の各オーサリングシステムが開発状態情報をより活用できるようにするために、それぞれの変更が別の部分の開発に影響があるか否かの評価を行うことができる。
【００１５】
さらに、開発状態情報を発する第１部分の特定の開発状態が達成されるまでそれぞれの部分の開発プロセスを停止するようにして、他の部分のそれぞれの開発プロセスが第１部分の開発状態の変更に影響を及ぼされるようにすることもできる。さらに、開発プロセスは、開発状態情報の主題である部分の特定の開発状態が達成された場合に、開始または再開されることができる。
【００１６】
本方法はさらに、必要条件プロファイルまたは開発指示を、第２部分の開発プロセスまたは残りの２つの部分の開発プロセスに、第１部分の最終または予備の開発結果の機能として伝えるステップを含むことができる。
【００１７】
最後に、本方法は、開発プロセスがアクセスできるバッファに開発状態情報を格納するステップを含むことができ、当該ステップでは、バッファに格納された開発状態情報の各要素が１つの部分の開発プロセスの変更を必要とするか否かを決定するために適合性チェックが実行され、適合性チェックにより開発プロセスの変更が必要であると判断された開発状態情報のみがバッファに格納される。
【００１８】
別の形態によれば、本発明は、上記の方法に従って、少なくとも１つのメカトロニクス構成要素を含むアセンブリを開発する装置について述べている。当該装置は以下の特徴を有する：
−第１部分を開発するための第１オーサリングシステムがインストールされた第１コンピュータシステム；
−第２部分を開発するための第２オーサリングシステムがインストールされた第２コンピュータシステム；および
−第３部分を開発するための第３オーサリングシステムがインストールされた第３コンピュータシステム；
−前記第１〜第３コンピュータシステムが相互接続され前記第１〜第３部分についての開発状態情報を交換するデータインターフェースおよび／またはゲートウェイ；
ここで、第１〜第３オーサリングシステムのそれぞれが、前記データインターフェースおよび／またはゲートウェイを介して他の各オーサリングシステムの伝えられた開発状態情報を出力するよう構成されている。
【００１９】
オーサリングシステムは同一のオーサリングシステムとすることができ、または、それらは１つの部分を精密に開発するための特定分野のシステムとして設計することができる。少なくとも１つのオーサリングシステムはまた異分野間の設計とすることができ、または、少なくとも、２つの部分を開発するように設計されることができる。また、少なくとも２つのオーサリングシステムが１つの部分のために提供されることもできる。
【００２０】
コンピュータシステムは例えば、開発プロセス用に構成されたそれぞれの開発システムが、例えばCADベースのシステム等のオーサリングシステムとしてインストールされたローカルPCである。コンピュータシステムは、互いに交信することができ、例えばデータインターフェースおよび／またはゲートウェイを介して開発状態情報を交換することができる。これにより、例えば、機械部分を開発するときに電気部分のそれぞれの開発状態を考慮に入れることができる。さらに１つの部分の開発状態の変更を各オーサリングシステムに出力することができ、例えばそこで表示して使用者が見ることができる。
【００２１】
さらに、オーサリングシステムは、PDMおよび／またはERPシステムにアクセスするためにデータインターフェースおよび／またはゲートウェイを介して接続されることができる。
【図面の簡単な説明】
【００２２】
発明のより詳細を以下の図面を参照して説明する。
【図１】アセンブリを開発する典型的な方法の概略図である。
【図２】本発明に係る方法の別の実施形態の概略図である。
【発明を実施するための形態】
【００２３】
図１に示す方法では、独立したオーサリングシステム１，２，４が、アセンブリのメカトロニクス構成要素の機械部分、電気部分および情報技術部分を開発するために使用される。これらの部分の開発の間、各開発プロセスの開発状態情報の要素のそれぞれは、オーサリングシステム１，２，４を通信可能に相互接続するゲートウェイ３を介して連続的に伝えられる。交換された開発状態情報に基づいて、オーサリングシステム１，２，４はそれぞれの開発プロセスに影響を与えることができる。このようにして達成される結果は、異なるオーサリングシステム１，２，４で開発された部分が相互に整合性のとれたものであるということである。さらに、個々の部分の開発を並行することで開発時間が減少する。
【００２４】
オーサリングシステム１は、機械部分を開発するためのmCADとして設計され、別のオーサリングシステム２は電気部分を開発するためのeCADシステムとして設計される。別のオーサリングシステム４は、メカトロニクス構成要素の情報技術部分を開発するために使用される。
【００２５】
ゲートウェイ３はさらに、各データを交換して保存するために、製品データ管理システム（PDMシステム）および／または統合基幹業務ソフト（ERPシステム）と接続される。各オーサリングシステムはPDMシステムおよび／またはERPシステム５と直接接続されることができ、またはゲートウェイ３を介してそれらと間接的に接続されることができる。
【００２６】
ゲートウェイ３により、通信が改善され、各工学分野内の開発プロジェクト、特に同図に示されるような複数の工学分野が含まれるプロジェクトでの文書化されたプロセスが改善される。
【００２７】
通信およびプロセスは、中立分野のデータ構造で表される。この接続は、周知のインターフェースを使用した全ての一般的なオーサリングシステムに組み込むことができる。
【００２８】
図２は、オーサリングシステムとして、所望のMCADシステム11、ECADシステム12および所望のソフトウェア環境（13）を使用した別の実施形態を示す。オーサリングシステム11，12，13の間の通信は、クラウドベースのデータメモリのウェブサービスを介して構成される。
【００２９】
データメモリに記憶されたデータ構造および開発状態情報は、オーサリングシステム11，12，13の外でもアクセスすることができ、オーサリングシステム11，12，13からでも、直接ブラウザからでも開始することができる。分散化されたデータメモリにより装置を位置独立にし；結果的にどのような所望の場所にも設置することができる。
【００３０】
構造は、オーサリングシステム11，12，13のそれぞれからの実施態様、特徴および／または特性が、データメモリを介して、どのように関連付けられ、相互に通信され、そして利用可能になるのかを示している。
【００３１】
したがって示されるのは、プライベートクラウドでのクラウドベースのゲートウェイソリューションである。MCADシステム11内のプラグイン14は、部品および／またはアセンブリ等のCADオブジェクトを共通のメカトロニクス製品構造に関連付けるために使用される。
【００３２】
これらの関連付けおよび状態情報は、「REST API」40を介してデータメモリに伝えられる。機械的な態様の詳細からのパラメータおよび外観も同様にして伝えられる。「REST API」40，41，42はまた、他の分野の関連のある状態情報をゲートウェイから（ほぼリアルタイムで）周期的に受信するのにも使用される。
【００３３】
ほぼ同じことが、「EPLAN」ECADシステム12でも起こる。これは、設置された電気部品および／または回路全体がメカトロニクス構造と関連付けられる場所である。同じことがソフトウェア環境13でも起こる。これはプログラムおよび関数が関連付けられる場所である。
【００３４】
構造、状態情報および外観はまた、オーサリングシステム11，12，13およびプラグインの外側で見られかつ変更することができる。ここでは、ウェブブラウザ20を使用して行うことができる。ウェブブラウザ20はまた、プラグインを介してオーサリングシステム11，12，13で関連付けするために利用可能なメカトロニクス構造を作るためにも使用することができる。
【００３５】
ブラウザアプリケーションは、ブラウザで直接開始することもできるし、プラグインを介して開始することもでき、現在HTML5基準に基づく最新のウェブUIの全ての特徴を含む。サーバアプリケーションは、１つまたはいくつかのメカトロニクスプロジェクトを、それらの構造、外観およびメカトロニクス状態情報を管理して記憶することができる。プラグインがオーサリングシステムで状態情報をバッファに格納し、それを素早い状態照合（21）に使用することも起こりうる。
【００３６】
リンク30，31，32を作り、この状態情報を伝えることにより、プラグイン14，15，16がオーサリングシステム11，12，13で表され、全ての分野の状態情報がウェブアプリケーション20で表されることができる。これは例えば、信号、リンクアイコン、文字列等の形で視覚的に実現される。
【００３７】
構造は、ブラウザの拡張機能で作られ、それぞれの分野の拡張機能の範囲内で表すことができる。要素はまた、拡張機能の範囲内でそれぞれの技術分野に割り当てられる。これは例えば機械CADでの3D構成要素であり、電気CADからの回路図ページまたは回路図要素であり、またはソフトウェア開発からの機能ブロックである。関連付けが成功した後に、拡張の通信機能が他の分野に伝えられる。
【００３８】
この通信は、ブラウザアプリケーション内で複製することができる。また、全ての変更がいわゆる「アクティビティストリーム」で記録される。各分野の状態はそれぞれの拡張機能により変更することができる。状態はまた、他の分野のそれぞれから見ることもできる。これは例えば、もし必要条件がすでに電気工学により実行されていれば、機械の開発者が見ることができることを意味する。
【００３９】
別の優れたメリットは、システム独立な視機能を使用することで得られる。開発者は、インストールされたそれぞれのシステムに固有のソフトウェアを有する必要なく、どのアプリケーションからも、割り当てられた要素（例えば回路図、3D構成要素またはソフトウェアブロック）を見ることができる。このようにして、ソフトウェア開発者は、その外見のより良いアイディアを得るために、3Dアセンブリの画像を見ることができる。また機械工が、例えば取付けようとしているか既に取付けた光ビーム装置等の構成要素の回路図に素早く目を通すことができる。
【００４０】
本発明の根底にある本質は、単にメカトロニクスアセンブリの開発に適しているだけでなく；通常、例えば機械的開発の分野内での通信、連携および必要条件の管理にも適している。数名の設計者がアセンブリに従って通信する機会があり、複数の設計者がそれぞれのオーサリングシステムを介してリアルタイムで開発プロセスに影響を与えることができる。
【００４１】
以上の明細書、図面および請求の範囲に開示された本発明の特徴は、本発明を実施するために、独立でも組み合わせても関連し合うことができる。
【図１】
2019502194.tif 000003
【図２】
2019502194.tif 000004
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
機械部分、電気部分および情報技術部分を備えた少なくとも１つのメカトロニクス構成要素を含むアセンブリの開発方法において、当該方法が：
−分離された開発プロセスで機械部分、電気部分および情報技術部分を開発し、前記機械部分の開発は前記機械部分を開発するための第１オーサリングシステムがインストールされた第１コンピュータシステムを使用して行われ、前記電気部分の開発は前記電気部分を開発するための第２オーサリングシステムがインストールされた第２コンピュータシステムを使用して行われ、前記情報技術部分の開発は前記情報技術部分を開発するための第３オーサリングシステムがインストールされた第３コンピュータシステムを使用して行われるステップ；
−前記第１〜第３コンピュータシステムが、少なくとも第１部分の開発プロセスの開発状態情報を、第２部分の開発プロセスまたは残りの２つの部分の開発プロセスに、それらを接続するデータインターフェースおよび／またはゲートウェイを介して、連続的または周期的に伝えるステップ；および
−前記第１〜第３オーサリングシステムのそれぞれが、前記データインターフェースおよび／またはゲートウェイを介して、伝えられた他の各オーサリングシステムの開発状態情報を出力し、第２部分の開発プロセスまたは残りの２つの部分の開発プロセスを、伝えられた前記開発状態情報を考慮に入れて変更するステップを含む方法。
【請求項２】
−開発するメカトロニクス構成要素が満たすべき多数の個々の必要条件から必要条件プロファイルを作成するステップ；
−前記機械部分、前記電気部分、前記情報技術部分またはこれらの部分の複数に影響があるかどうかに基づいてそれぞれの個々の必要条件を特定するステップ；および
−データベースに前記必要条件プロファイルおよび特定結果を保存し、前記データベースを介して各部分の開発のための各オーサリングシステムに前記必要条件プロファイルおよび前記特定結果を提供するステップをさらに含む請求項１に記載の方法。
【請求項３】
前記機械部分、前記電気部分および／または前記情報技術部分の開発状態、および評価は、各開発状態が少なくとも１つの個々の必要条件を満たしていれば、前記データベースに記憶されることができる請求項２に記載の方法。
【請求項４】
分離した開発プロセスは独立したオーサリングシステムを使用して実行されることができ、オーサリングシステムは互いの間でインターフェースおよび／またはゲートウェイを介して開発情報を交換する請求項１〜３のいずれか１項に記載の方法。
【請求項５】
一つの部分の開発状態が割り当てられたオーサリングシステムで変更され、この変更により、開発するメカトロニクス構成要素が満たすべき個々の必要条件の少なくとも１つを満たすために別の部分の開発状態の変更を要すると評価された場合、前記インターフェースおよび／または前記ゲートウェイを介してオーサリングシステム間で警告メッセージが伝えられ、必要であれば、オーサリングシステムがアクセスできるメモリに記憶されることができる請求項４に記載の方法。
【請求項６】
前記第２部分の開発プロセスまたは残りの２つの部分の開発プロセスを変更するステップは、前記第２部分の開発プロセスまたは残りの２つの部分の開発プロセスを、前記第１部分の特定の開発状態が達成されるまで停止するステップと、前記特定の開発状態が達成されたら前記第２部分の開発プロセスまたは残りの２つの部分の開発プロセスを開始または再開するステップとを含む請求項１に記載の方法。
【請求項７】
前記必要条件プロファイルまたは開発指示を、前記第２部分の開発プロセスまたは残りの２つの部分の開発プロセスに、前記第１部分の最終または予備の開発結果の機能として伝えるステップを含む請求項１に記載の方法。
【請求項８】
開発プロセスがアクセスできるバッファに前記開発状態情報を格納するステップを含むことができ、当該ステップでは、前記バッファに格納された前記開発状態情報の各要素が１つの部分の開発プロセスの変更を必要とするか否かを決定するために適合性チェックが実行され、前記適合性チェックにより開発プロセスの変更が必要であると判断された前記開発状態情報のみが前記バッファに格納される請求項１に記載の方法。
【請求項９】
請求項１〜８の少なくとも１項に記載の方法に従って、少なくとも１つのメカトロニクス構成要素を含むアセンブリを開発する装置において、当該装置が：
−第１部分を開発するための第１オーサリングシステムがインストールされた第１コンピュータシステム；
−第２部分を開発するための第２オーサリングシステムがインストールされた第２コンピュータシステム；
−第３部分を開発するための第３オーサリングシステムがインストールされた第３コンピュータシステム；および
−前記第１〜第３コンピュータシステムが相互接続され前記第１〜第３部分についての開発状態情報を交換するデータインターフェースおよび／またはゲートウェイ；を含み、
前記第１〜第３オーサリングシステムのそれぞれが、前記データインターフェースおよび／または前記ゲートウェイを介して他の各オーサリングシステムの伝えられた開発状態情報を出力するよう構成されている装置。
【請求項１０】
前記第１〜第３オーサリングシステムは、PDMおよび／またはERPシステムにアクセスするために前記データインターフェースおよび／または前記ゲートウェイを介してさらに接続されることができる請求項９に記載の装置。
【国際調査報告】
2019502194.tif 000005
2019502194.tif 000006
2019502194.tif 000007
2019502194.tif 000008